(57)【要約】【課題】十分な放熱効果を有する液晶テレビジョン装置を構成する。【解決手段】液晶モジュール筐体１００の裏面側には、発熱部品であるＦＥＴ４が実装された制御回路基板２が設置されている。制御回路基板２のＦＥＴ４実装位置には、ＦＥＴ４の一面に面接触し、ＦＥＴ４よりも面積の大きい放熱板３が設置されている。また制御回路基板２の放熱板３の設置位置でＦＥＴ４と反対側には貫通孔２０が形成されており、この貫通孔２０に、液晶モジュール筐体１００の突出部１０が貫通する。突出部１０の折曲部１０ｂは放熱板３に形成された挿嵌孔３０に嵌合され、突出部１０の主部１０ａは放熱板３に面接触されている。これにより、ＦＥＴ４で生じた熱は放熱板３で放熱されるとともに、突出部１０を介して液晶モジュール筐体１００で放熱される。【選択図】  図１
2006171156.tif 000002
【特許請求の範囲】
【請求項１】
液晶パネルと、該液晶パネルを駆動する駆動回路と、該駆動回路および前記液晶パネルを内包する熱伝導性を有する筐体と、該筐体の裏面に設置され、受信したテレビジョン放送信号に基づき前記駆動回路を制御する制御回路が形成された制御回路基板と、を備えた液晶テレビジョン装置において、
前記筐体は、前記制御回路基板側に突出し、前記筐体の本体と対向する端部が所定長さに亘り前記筐体の本体表面に平行な方向を主面とするように折れ曲がった形状で、前記筐体側の幅に対して筐体側と対向する側の幅が狭い、少なくとも２段形状であり、前記筐体側の幅が広い部分の先端が前記制御回路基板の前記筐体側面に当接する形状である折曲部を備えた平板状の突出部を備え、
前記制御回路基板は、前記突出部が挿通する貫通孔を備えるとともに、基板に実装されている、電源回路のＦＥＴである発熱部材に当接し、且つ前記折曲部が挿嵌する挿嵌孔を備えた放熱板を備え、
前記突出部と前記放熱板とが面接触し、且つ前記発熱部材を前記放熱板の前記突起部が接触する面と対向する面で、且つ、面接触する領域と対向する領域に設置するように配置されている液晶テレビジョン装置。
【請求項２】
液晶パネルと、該液晶パネルを駆動する駆動回路と、該駆動回路および前記液晶パネルを内包する熱伝導性を有する筐体と、該筐体の裏面に設置され、受信したテレビジョン放送信号に基づき前記駆動回路を制御する制御回路が形成された制御回路基板と、を備えた液晶テレビジョン装置において、
前記筐体は、前記制御回路基板側に突出する平板状の突出部を備え、
前記制御回路基板は、前記突出部が挿通する貫通孔を備えるとともに、基板に実装されている発熱部材に当接する放熱板を備え、
前記突出部と前記放熱板とが面接触するように配置されている液晶テレビジョン装置。
【請求項３】
前記突出部は前記筐体の本体と対向する端部が所定長さに亘り前記筐体の本体表面に平行な方向を主面とするように折れ曲がった折曲部を備え、
前記放熱板は前記折曲部が挿嵌する挿嵌孔を備えたことを特徴とする請求項２に記載の液晶テレビジョン装置。
【請求項４】
前記突起部は前記筐体側の幅に対して筐体側と対向する側の幅が狭い、少なくとも２段形状であり、前記筐体側の幅が広い部分の先端が前記制御回路基板の前記筐体側面に当接する形状である請求項２または請求項３に記載の液晶テレビジョン装置。
【請求項５】
前記発熱部材は前記放熱板の前記突起部が接触する面と対向する面で、且つ、面接触する領域と対向する領域に設置されている請求項２〜４のいずれかに記載の液晶テレビジョン装置。
【請求項６】
前記発熱部材は電源回路のＦＥＴである請求項２〜５のいずれかに記載の液晶テレビジョン装置。
【発明の詳細な説明】
【技術分野】
【０００１】
この発明は、液晶テレビジョン装置、特に、液晶テレビジョン装置の放熱構造に関するものである。
【背景技術】
【０００２】
液晶テレビジョン装置は、画像（映像）を表示する液晶パネルと、この液晶パネルの裏面側に配置され、液晶パネルを駆動する駆動回路が形成された駆動回路基板と、これら液晶パネルと駆動回路基板と、さらには駆動回路基板と液晶パネルとの間に配置されたバックライトとを内包して保持する液晶モジュール筐体と、この液晶モジュール筐体の裏面側に配置され、前記駆動回路を制御する制御回路が形成された制御回路基板と、これらを内包して保持する液晶テレビジョン筐体と、を備える。
【０００３】
このような液晶テレビジョン装置では各部品において発熱が生じるため、放熱する構造が各種施されている。特に、電源回路に設けられたＦＥＴ等の増幅素子では他の素子と比較して発熱量が大きく、この発熱により素子自身が誤動作する可能性がある。そして、この放熱構造は液晶テレビジョン装置に限ることなく、同様の装置において各種考案されており、例えば、放熱板やヒートシンクおよび放熱ファンを設ける構造が用いられている（例えば、特許文献１、特許文献２参照。）。
【特許文献１】特開２００３−５８０６５公報
【特許文献２】特開平１０−２４０１３８号公報
【発明の開示】
【発明が解決しようとする課題】
【０００４】
しかしながら、前述のように装置の放熱には各種の構造が用いられているが、放熱ファンを用いれば装置自体の大きさが大きくなり、液晶テレビジョン装置のような外形の薄型や表示画面に対する筐体の小型化が要求される装置では放熱ファンの使用は好まれない。一方で、放熱板はヒートシンクのみは、薄型や小型化を実現することができるが、放熱効果が十分ではない。
【０００５】
したがって、この発明の目的は、十分な放熱効果を備え、且つ薄型および小型化をも実現することができる放熱機構を備える液晶テレビジョン装置を提供することにある。
【課題を解決するための手段】
【０００６】
この発明は、液晶パネルと、該液晶パネルを駆動する駆動回路と、該駆動回路および前記液晶パネルを内包する熱伝導性を有する筐体と、該筐体の裏面に設置され、受信したテレビジョン放送信号に基づき前記駆動回路を制御する制御回路が形成された制御回路基板と、を備えた液晶テレビジョン装置において、筐体に制御回路基板側へ突出する平板状の突出部を備え、制御回路基板に、突出部が挿通する貫通孔を備えるとともに、基板に実装されている発熱部材に当接する放熱板を備え、突出部と放熱板とを面接触するように配置したことを特徴としている。
【０００７】
この構成では、発熱部品から発生する熱が放熱板に伝搬され、放熱板で放熱されるとともに筐体に設けられた突出部に伝搬される。突出部に伝搬された熱はこの突出部を介して筐体全体に伝搬され、筐体から放熱される。このように、この構成では、放熱板とともに筐体全体が放熱板として作用する。
【０００８】
また、この発明の液晶テレビジョン装置は、突出部に筐体の本体と対向する端部が所定長さに亘り筐体の本体表面に平行な方向を主面とするように折れ曲がった折曲部を備え、放熱板に折曲部が挿嵌する挿嵌孔を備えたことを特徴としている。
【０００９】
この構成では、装置の組み立て時には折曲部と挿嵌孔とが嵌合するので、放熱板と筐体の突出部との位置関係が固定される。すなわち、放熱板が備えられた制御回路基板と筐体との位置関係が固定される。これにより、筐体裏面および制御回路基板の実装面に平行な方向での筐体に対する制御回路基板の位置決めが容易になる。
【００１０】
また、この発明の液晶テレビジョン装置は、突起部を筐体側の幅に対して筐体側と対向する側の幅が狭い少なくとも２段形状で形成し、筐体側の幅が広い部分の先端を制御回路基板の筐体側面に当接する形状とすることを特徴としている。
【００１１】
この構成では、突出部の幅が変化する端面が制御回路基板の筐体側面に当接することで、制御回路基板と筐体との間隔（筐体裏面および制御回路基板の実装面に垂直な方向の位置関係）が固定される。これにより、筐体裏面および制御回路基板の実装面に垂直な方向での筐体に対する制御回路基板の位置決めが容易になる。
【００１２】
また、この発明の液晶テレビジョン装置は、発熱部材を放熱板の突起部が接触する面と対向する面で、且つ、面接触する領域と対向する領域に設置することを特徴としている。
【００１３】
この構成では、発熱部材で発生した熱が放熱板の厚み分のみを介して突起部に伝搬される。これにより、より早く突起部および筐体に熱が伝搬されて放熱される。
【００１４】
また、この発明の液晶テレビジョン装置は、発熱部材が電源回路のＦＥＴであることを特徴としている。
【００１５】
この構成では、電源回路のＦＥＴのような発熱量の大きい部品ほど放熱容量が必要であるので、このような部品においてより有効に作用する。
【発明の効果】
【００１６】
この発明によれば、発熱部品から発生した熱が放熱板のみでなく、液晶モジュール筐体からも放熱されるので、放熱ファン等の強制冷却手段を備えることなく、大きな放熱容量が得られる液晶テレビジョン装置を構成することができる。これは、すなわち、発熱による誤動作が防止される液晶テレビジョン装置を構成することができる。
【発明を実施するための最良の形態】
【００１７】
本発明の液晶テレビジョン装置について図１〜４を参照して説明する。
【００１８】
図１は本発明の液晶テレビジョン装置の概略構成を示す斜視図および部分側面図であり、（ａ），（ｂ）では斜視方向が異なる。
【００１９】
図２は図１に示す液晶モジュール筐体１００の外観斜視図および部分側面図である。
【００２０】
図３は図１に示す制御回路基板２の外観斜視図であり、（ａ）、（ｂ）では斜視方向が異なる。
【００２１】
図１に示すように、本発明の液晶テレビジョン装置は、液晶パネル、バックライト、液晶駆動回路基板（それぞれ図示せず。）を内包し、熱伝導性を備える液晶モジュール筐体１００と、液晶駆動回路を駆動する駆動制御信号を制御回路および電源回路が実装および形成された制御回路基板２と、を備える。
【００２２】
液晶モジュール筐体１００は、液晶パネル側（表面側）を開口した略直方体形状であり、裏面側の表面における４角付近には略立方体形状に突出する支柱部１１が形成されている。また、液晶モジュール筐体１００は、後述する制御回路基板２のＦＥＴ４実装位置に対応する位置に、筐体本体１を部分的に折り曲げ加工したことにより筐体本体１の裏面から所定量突出する突出部１０が形成されている。この突出部１０は筐体本体１の裏面に垂直な方向を主面として延びる主部１０ａと、主部１０ａの筐体本体１側に対向する端部で筐体本体１の裏面に平行な方向を主面とする折曲部１０ｂとからなる。この主部１０ａは、制御回路基板２を支柱１１表面に当接させて設置した場合に、制御回路基板２の表面（筐体１に対向する面と反対側の面）上に設置された放熱板３の挿嵌孔３０と折曲部１０ｂとが挿嵌する長さで形成されている。また、折曲部１０ｂは放熱板３の挿嵌孔３０に所定量挿嵌する（図では貫通孔３０から先端が突出する）長さで形成されている。
【００２３】
制御回路基板２は、電極パターンが形成されていたり、表面に回路部品が実装されており、液晶駆動回路を制御する制御回路および装置の各部への電源供給や電源制御を行う電源回路が形成されている。また、制御回路基板２は、液晶モジュール筐体１００に設置された状態で、前述の液晶モジュール筐体１００の突出部１０が貫通する貫通孔２０が形成されている。貫通孔２０は、制御回路基板２上に実装されている電源系のＦＥＴ４の一方面が面接触する放熱板３のＦＥＴ４が面接触する側と反対側の近傍に形成されている。
【００２４】
放熱板３は、アルミニウム等の熱伝導率の大きい物質で形成されており、制御回路基板２の表面に垂直な方向を主面として設置されている。放熱板３のＦＥＴ４が面接触する位置の上側には挿嵌孔３０が形成されており、制御回路基板２が液晶モジュール筐体１００に設置された状態で、この挿嵌孔３０に前述の突出部１０の折曲部１０ｂが挿嵌する。このように突出部１０の折曲部１０ｂが放熱板３の挿嵌孔３０に挿嵌された状態で、突出部１０の主部１０ａと放熱板３のＦＥＴ４が面接触する面に反対側の面とは面接触している。
【００２５】
このような液晶テレビジョン装置の組み立て方法について図４を参照して説明する。
【００２６】
図４は液晶テレビジョン装置の組み立て方法を示す概念図である。
【００２７】
まず、図４（ａ）に示すように、液晶モジュール筐体１００の突出部１０が制御回路基板２の貫通孔２０を通るように、既に回路素子等が実装された後の制御回路基板２を液晶モジュール筐体１００の裏面の支柱１１に係るように設置する。この際、突出部１０の折曲部１０ｂ側が、制御回路基板２の貫通孔２０に対して放熱板３側になるようにして突出部１０を貫通孔３０に貫通させる。
【００２８】
次に、図４（ｂ）に示すように、４つの支柱１１が制御回路基板２の４角に一致する位置まで移動させ、突出部１０の折曲部１０ｂを放熱板３の挿嵌孔３０に挿嵌させて、突出部１０の主部１０ａと放熱板３とを面接触させる（図４（ｃ））。この状態で、支柱１１に対して制御回路基板２を固定する。
【００２９】
このような構成とすることで、発熱源である電源系のＦＥＴ４の放熱板３が面接触し、この放熱板３に液晶モジュール筐体１００の突出部１０が面接触して、ＦＥＴ４から発した熱が放熱板３を介して液晶モジュール筐体１００の突出部１０に伝搬される。この間、放熱板３は放熱を行う。また、突出部１０に伝搬された熱は液晶モジュール筐体１００の全体に伝搬され、この液晶モジュール筐体１００の全体で放熱する。これにより、ＦＥＴ４の熱が放熱面積の大きい放熱板３およびさらに放熱面積の大きい液晶モジュール筐体１００により放熱されるので、放熱ファン等の強制冷却手段を用いなくても、効果的に放熱することができる。この際、放熱板３と突出部１０とが点接触でなく面接触で設置されているので放熱効果がより向上する。さらに、放熱板３と突出部１０の主部１０ａとが面接触する領域に対して放熱板３の反対側の領域にＦＥＴ４が面接触して設置されているので、ＦＥＴ４からの発熱が放熱板３を介して最短距離で突出部１０の主部１０ａに伝搬される。これにより、ＦＥＴ４からの熱が突出部１０に素早く伝搬され、この熱が液晶モジュール筐体１００の全体に伝搬されて放熱される。すなわち、より高い放熱効果が得られる。この結果、薄型、小型でありながら、十分な放熱容量を備える液晶テレビジョン装置を構成することができる。
【００３０】
また、制御回路基板２が液晶モジュール筐体１００に設置された状態で、制御回路基板２に設置された放熱板３の挿嵌孔３０と液晶モジュール筐体１００の突出部１０の折曲部１０ｂとが嵌合することで、液晶モジュール筐体１００に対する制御回路基板２の設置位置が明確に設定されるとともに、放熱板３と突出部１０との面接触状態が固定され、さらには、制御回路基板２が液晶モジュール筐体１００に固定される。この結果、前述のような放熱容量の大きな液晶テレビジョン装置を容易に組み立てることができる。
【００３１】
なお、前述の説明では、ＦＥＴの設置位置を放熱板と液晶モジュール筐体の突出部との接触領域に対応する領域内としたが、これに限ることなく、ＦＥＴの一面が放熱板に面接触していればよい。
【００３２】
また、発熱部品として電源系のＦＥＴを例に示したが、これに限らず、発熱性を有し、誤動作を生じる可能性のある部品であれば、前述の構成を用いて前述の効果を奏することができる。
【００３３】
また、前述の説明では、液晶テレビジョン装置について説明したが、発熱部品を有し、放熱ファン等の部品が使用できない薄型や小型の電化製品であれば前述の構成を適用し、前述の効果を奏することができる。
【図面の簡単な説明】
【００３４】
【図１】本発明の液晶テレビジョン装置の概略構成を示す斜視図および部分側面図
【図２】図１に示す液晶モジュール筐体１００の外観斜視図および部分側面図
【図３】図１に示す制御回路基板２の外観斜視図
【図４】液晶テレビジョン装置の組み立て方法を示す概念図
【符号の説明】
【００３５】
１００−液晶モジュール筐体１００
１−筐体本体
１０−突出部
１０ａ−突出部の主部
１０ｂ−突出部の折曲部
１１−支柱
２−制御回路基板
２０−貫通孔
３−放熱板
３０−挿嵌孔
４−ＦＥＴ
【図１】
2006171156.tif 000003
【図２】
2006171156.tif 000004
【図３】
2006171156.tif 000005
【図４】
2006171156.tif 000006